(57)【要約】      （修正有） 【課題】コネクタプラグを過電流と高熱から効率よく保護する電流及び温度保護機能を具えるコネクタプラグの構造を提供する。【解決手段】制御回路モジュール１１を内設したコネクタプラグ１を少なくとも１以上具え、該制御回路モジュールの一端が信号プラグ１２に電気的に接続し、かつ該制御回路モジュールの他端が信号伝送ケーブル１３に電気的に接続し、該信号プラグが該制御モジュールを介して該信号伝送ケーブルに電気的に導通し、該制御回路モジュールにおいて該信号プラグと該信号伝送ケーブルとが導通して形成される伝送経路に、通過する電流値を検知する保護制御手段を別途設け、該保護制御手段を通過する電流値が予め設定した電流設定値を超えると該保護制御回路が遮断状態となり、該制御回路モジュールが該信号プラグの温度を検知して、該信号プラグの温度が予め設定した温度設定値を越えると、該制御回路モジュールが該保護制御手段を制御して遮断状態とするように構成する。【選択図】図２
0003207782.tif 000002
【実用新案登録請求の範囲】
【請求項１】
制御回路モジュールを内設したコネクタプラグを少なくとも１以上具え、該制御回路モジュールの一端が信号プラグに電気的に接続し、かつ該制御回路モジュールの他端が信号伝送ケーブルに電気的に接続し、
該信号プラグが該制御モジュールを介して該信号伝送ケーブルに電気的に導通し、
該制御回路モジュールにおいて該信号プラグと該信号伝送ケーブルとが導通して形成される伝送経路に、通過する電流値を検知する保護制御手段を別途設け、
該保護制御手段を通過する電流値が予め設定した電流設定値を超えると該保護制御手段が遮断状態となり、
該制御回路モジュールが該信号プラグの温度を検知して、該信号プラグの温度が予め設定した温度設定値を越えると、該制御回路モジュールが該保護制御手段を制御して遮断状態とするように構成したことを特徴とする電流及び温度保護機能を具えるコネクタプラグの構造。
【請求項２】
前記保護制御手段が、通過する電流の過負荷を防止する機能を具えることを特徴とする請求項１に記載の電流及び温度保護機能を具えるコネクタプラグの構造。
【請求項３】
前記保護制御手段が断路器か、サーキットブレーカーであることを特徴とする請求項２に記載の電流及び温度保護機能を具えるコネクタプラグの構造。
【請求項４】
前記制御回路モジュールが該信号プラグの温度値を検知し、かつ該制御回路モジュールに予め温度値を設定し、該信号プラグの温度が該制御回路モジュールに設定した温度設定値を超えると、該制御回路モジュールが該保護制御手段を制御して遮断状態とすることを特徴とする請求項１に記載の電流及び温度保護機能を具えるコネクタプラグの構造。
【請求項５】
前記信号プラグが第１プラス端子と第１マイナス端子とを具え、該第１プラス端子と該第１マイナス端子とが該制御回路モジュールに電気的に接続することを特徴とする請求項１に記載の電流及び温度保護機能を具えるコネクタプラグの構造。
【請求項６】
前記信号伝送ケーブルが第２プラス端子と第２マイナス端子とを具え、該第２プラス端子と該第２マイナス端子とが該制御回路モジュールに電気的に接続することを特徴とする請求項１に記載の電流及び温度保護機能を具えるコネクタプラグの構造。
【考案の詳細な説明】
【技術分野】
【０００１】
この考案は、信号の伝送、及び充電に用いる電子製品用のコネクタプラグにおいて短絡、焼損を防ぐ、電流及び温度保護機能を具えるコネクタプラグの構造に関する。
【背景技術】
【０００２】
今日の科学技術の発展には目を見張るものがある。人々は電子製品によって全世界の知識の問を開けることができるようになった。このため電子製品は人々の生活において欠くことのできない製品になりつつある。また、科学技術の絶え間ない進歩によって新規な電子製品が世に出ては、旧タイプの電子製品を淘汰している。
【０００３】
一般の電子製品は、主にケーブル伝送方式で他のデバイスに接続する。即ち、各種の信号伝送ケーブルを介して接続し、かつ信号伝送ケーブルを介して電子製品の充電、及び信号伝送を行う。
【０００４】
従来の信号伝送ケーブルは、主に信号伝送ケーブルの両端に、それぞれコネクタプラグを設ける。例えば、一端のコネクタプラグを電子製品（例えばスマートフォン）に接続し、かつ他端のコネクタプラグを電源端に接続し、信号伝送ケーブルを介して電子製品に対して充電を行う。
【０００５】
また、人々がモバイルタイプの電子製品（例えばスマートフォン、タブレットＰＣなど）を使用する時間がますます長くなってきている。このため、電子製品に搭載する電池の容量も相対的に増大してきており、人々の長時間の使用というニーズを満足させることができるようになってきた。
【０００６】
しかしながら、電子製品の電池の容量が増大すれば、充電時間も長くなる。そこで、モバイルタイプの電子製品の充電時間を短縮させるために、業界では急速充電器、またはポータブル電源が開発された。従来の急速充電器、またはポータブル電源は、主に充電する電源の電流量を高めてモバイルタイプの電子製品が必要とする充電時間を効率よく短縮するものである。但し、充電電源の電流が大きすぎる場合において、モバイルタイプの電子製品が負荷に耐えられなくなると、過電流によって短絡、焼損が容易に発生する。しかも、充電電源の電流量が増加する場合、信号伝送線ケーブルのコネクタプラグの温度も相対的に高くなり、温度が高くなりすぎると、信号伝送ケーブルのコネクタプラグに、焼損を容易に招くという危険性が生じる
【考案の概要】
【考案が解決しようとする課題】
【０００７】
この考案は、コネクタプラグを過電流と高熱から効率よく保護する電流及び温度保護機能を具えるコネクタプラグの構造を提供することを課題とする。
【課題を解決するための手段】
【０００８】
そこで、本考案者は従来のコネクタプラグに見られる欠点に鑑み鋭意研究を重ねた結果、制御回路モジュールを内設したコネクタプラグを少なくとも１以上具え、該制御回路モジュールの一端が信号プラグに電気的に接続し、かつ該制御回路モジュールの他端が信号伝送ケーブルに電気的に接続し、該信号プラグが該制御モジュールを介して該信号伝送ケーブルに電気的に導通し、該制御回路モジュールにおいて該信号プラグと該信号伝送ケーブルとが導通して形成される伝送経路に、通過する電流値を検知する保護制御手段を別途設けてなるコネクタプラグによって課題を解決でできる点に着眼し、係る知見に基づいて本考案を完成させた。
【０００９】
以下この考案について説明する。請求項１に記載するコネクタプラグは
制御回路モジュールを内設したコネクタプラグを少なくとも１以上具え、該制御回路モジュールの一端が信号プラグに電気的に接続し、かつ該制御回路モジュールの他端が信号伝送ケーブルに電気的に接続し、
該信号プラグが該制御モジュールを介して該信号伝送ケーブルに電気的に導通し、
該制御回路モジュールにおいて該信号プラグと該信号伝送ケーブルとが導通して形成される伝送経路に、通過する電流値を検知する保護制御手段を別途設け、
該保護制御手段を通過する電流値が予め設定した電流設定値を超えると該保護制御手段が遮断状態となり、
該制御回路モジュールが該信号プラグの温度を検知して、該信号プラグの温度が予め設定した温度設定値を越えると、該制御回路モジュールが該保護制御手段を制御して遮断状態とするように構成してなる。
【００１０】
請求項２に記載するコネクタプラグは、請求項１における保護制御手段が、通過する電流の過負荷を防止する機能を具える。
【００１１】
請求項３に記載するコネクタプラグは、請求項２における保護制御手段が断路器か、サーキットブレーカーである。
【００１２】
請求項４に記載するコネクタプラグは、請求項１における制御回路モジュールが該信号プラグの温度値を検知し、かつ該制御回路モジュールに予め温度値を設定し、該信号プラグの温度が該制御回路モジュールに設定した温度設定値を超えると、該制御回路モジュールが該保護制御手段を制御して遮断状態とする。
【００１３】
請求項５に記載するコネクタプラグは、請求項１における信号プラグが第１プラス端子と第１マイナス端子とを具え、該第１プラス端子と該第１マイナス端子とが該制御回路モジュールに電気的に接続する。
【００１４】
請求項６に記載するコネクタプラグは、請求項１における信号伝送ケーブルが第２プラス端子と第２マイナス端子とを具え、該第２プラス端子と該第２マイナス端子とが該制御回路モジュールに電気的に接続する。
【図面の簡単な説明】
【００１５】
【図１】この考案によるコネクタプラグの外観を示した説明図である。
【図２】この考案によるコネクタプラグの構造を示した説明図である。
【図３】この考案によるコネクタプラグの回路構造を示した説明図である。
【図４】この考案によるコネクタプラグの回路の実施例を示した説明図である。
【考案を実施するための形態】
【００１６】
この考案は、コネクタプラグを過電流と高熱から効率よく保護する、電流及び温度保護機能を具えるコネクタプラグの構造を提供するものであって、制御回路モジュールを内設したコネクタプラグを少なくとも１以上具え、該制御回路モジュールの一端が信号プラグに電気的に接続し、かつ該制御回路モジュールの他端が信号伝送ケーブルに電気的に接続し、該信号プラグが該制御モジュールを介して該信号伝送ケーブルに電気的に導通し、該制御回路モジュールにおいて該信号プラグと該信号伝送ケーブルとが導通して形成される伝送経路に、通過する電流値を検知する保護制御手段を別途設けてなる。係るコネクタプラグの特徴を説明するために、具体的な実施例を挙げ、図面を参照にして以下に詳述する。
【実施例】
【００１７】
図１から図４に開示するように、この考案による電流及び温度保護機能を具えるコネクタプラグの構造は、少なくとも１以上のコネクタプラグ１を具え、コネクタプラグ１には、例えば制御回路の回路基板である制御回路モジュール１１を内設する。
【００１８】
制御回路モジュール１は一端が信号プラグ１２に電気的に接続し、他端が信号伝送ケーブル１３に電気的に接続する。信号プラグ１２は、第１プラス端子１２１と、第１マイナス端子１２２とを具える。
【００１９】
信号プラグ１２は、第１プラス端子１２１と、第１マイナス端子１２２とによって制御回路モジュール１１に電気的に接続する。
【００２０】
信号伝送ケーブル１３は、第２プラス端子１３１と、第２マイナス端子１３２とを具え、かつ信号伝送ケーブル１３は第２プラス端子１３１と、第２マイナス端子１３２とによって制御回路モジュール１１に電気的に接続し、信号プラグ１２は制御回路モジュール１１を介して信号伝送ケーブル１３に電気的に接続する。信号伝送ケーブル１３の両端には、例えば図１に開示するように、それぞれコネクタプラグ１を電気的に接続することができる。
【００２１】
また、制御回路モジュール１１においては、信号プラグ１２と信号伝送ケーブル１３とが電気的に接続し、導通して形成される伝送経路に、別途保護制御手段１４を設ける。よって、信号プラグ１２は、保護制御手段１４を介して信号伝送ケーブルと電気的に導通し、制御回路を形成する。
【００２２】
保護制御手段１４は、通過する電流の過負荷を防ぐ機能を有する。即ち、保護制御手段１４を通過する電流値が予め設定した電流設定値よりも大きくなると、保護制御手段１４は自動的に遮断状態となる。また保護制御回路１４は制御回路モジュール１１の制御によって遮断状態か、もしくは導通状態となるようにしてもよい。即ち、保護制御手段１４は信号プラグ１２と信号伝送ケーブル１３との間を遮断及び導通を制御する機能を具える。保護制御手段１４は、断路器か、サーキットブレーカー（Ｃｉｒｃｕｉｔ Ｂｒｅａｋｅｒ）であってもよい。
【００２３】
制御回路モジュール１１を以って信号プラグ１２の温度を検知してもよく、制御回路モジュールが、信号プラグ１２の温度が予め設定した温度設定値を越えたことを検知すると、制御信号を発生させて保護制御手段１４を遮断状態とする。
【００２４】
以上をまとめると、この考案においては、外部の電流が保護制御手段１４を通過する場合、保護制御手段１４によって通過する電流が予め設定した電流設定を越えているか検知し、通過する電流値が保護制御手段１４の電流設定値を超えていなければ、保護制御手段１４は導通状態にあり、コネクタプラグ１は正常に電力を伝送する。通過する電流が、保護制御手段１４の電流設定値を超えると、保護制御手段１４は遮蔽状態となり、コネクタプラグ１は電力の伝送を中止する。このため電子装置を保護し、電流が大きすぎることによって発生する短絡、焼損の防止を達成することができる。
【００２５】
さらに制御回路モジュール１１によって信号プラグ１２の温度が予め設定した温度設定値を超えていないか検知し、信号プラグ１２の温度が制御回路モジュール１１の温度設定値を越えていない場合は、保護制御手段１４は導通状態にあり、コネクタプラグ１は正常に電力、もしくは信号の伝送を行う。信号プラグ１２の温度が制御回路モジュール１１の温度設定値を越えた場合は、制御回路モジュール１１が保護制御手段１４を制御して遮蔽状態とし、コネクタプラグ１は電力、もしくは信号の伝送を中止する。このため電子装置を保護し、温度が立過ぎることによって発生する焼損の防止を達成することができる。
【００２６】
上述するように、コネクタプラグ１は電流と温度とを検知して保護する機能を具え、コネクタプラグ１の電流が大き過ぎ、もしくは温度が高過ぎることによって短絡、焼損が発生する危険な状況を効率よく防ぐことができる。
【符号の説明】
【００２７】
１    コネクタプラグ
１１    制御回路モジュール
１２    信号プラグ
１２１    第１プラス端子
１２２    第１マイナス端子
１３    信号伝送ケーブル
１３１    第２プラス端子
１３２    第２マイナス端子
１４    保護制御手段
【図１】
0003207782.tif 000003
【図２】
0003207782.tif 000004
【図３】
0003207782.tif 000005
【図４】
0003207782.tif 000006